(57)【要約】  圧力式トイレット（１０）は、「必要に応じて」（塊状物に応じて）サイフォン作用による補助機能を提供するトラップ通路（１８）を有する。液体汚物又は少量の塊状汚物の正常な水洗中は、トラップ通路の中にサイフォンは形成されず、ボウル中の水及び軽い汚物は加圧水ジェットの力の下でのみ排出される。ダム（２８）の近傍又はそのすぐ下流に大容積領域（３０）が備えられおり、水ジェットからの吹き出し物を収容する。下向き脚部分（３２）において塊状汚物の濃度が閾値に達することによってのみ、トラップ通路はサイフォンを引き出す。下向き脚部分の下部における水平バッフル（３６）が、十分な濃度の塊状汚物の蓄積を補助して、トラップ通路の中にサイフォンを確立する。
2008533332.tif 000002
【特許請求の範囲】
【請求項１】
ボウルと、水を圧力下でトラップ通路の中に噴射するための導管を備えた加圧水供給源とを有し、前記トラップ通路は、ボウル開口部と出口との間に伸び、そして、上向き脚部分を有しており、前記上向き脚部分は、前記ボウル開口部から、前記ボウル開口部よりも上方に位置する水ダム領域に、上方且つ後方に向かって伸びて、下向き脚部分に接続されており、前記下向き脚部分は、下方且つ前方に傾斜して伸びて、前記出口に連通しているトイレットであって、前記トラップ通路において、塊状汚物の濃度が閾値に達した場合に、前記トイレットがサイフォン作用をもたらす一方、前記トラップ通路において、塊状汚物の濃度が前記閾値に達しない場合に、サイフォン作用をもたらさないことを特徴とするトイレット。
【請求項２】
前記トラップ通路の前記下向き脚部分において、塊状汚物の濃度が閾値に達した場合に、前記サイフォン作用をもたらすことを特徴とする、請求項１に記載のトイレット。
【請求項３】
塊状汚物の濃度の前記閾値が、前記トラップ通路全体ではなく、前記下向き脚部分内のすべての物質の２重量パーセントから５重量パーセントの間にある、請求項２に記載のトイレット。
【請求項４】
前記上向き脚部分と前記下向き脚部分とが、前記ダム領域において、０．５インチ（１．３ｃｍ）から１インチ（２．５ｃｍ）の間にある半径曲線部分によって分離されている、請求項１に記載のトイレット。
【請求項５】
前記上向き脚部分が、前記出口を含む水平面に対して、３０度から４５度の間にある角度をなして伸びている、請求項１に記載のトイレット。
【請求項６】
前記下向き脚部分が、前記出口を含む水平面に対して、３０度から６０度の間にある角度をなして伸びている、請求項１に記載のトイレット。
【請求項７】
前記導管を通過する前記水の速度が、１秒当り８から１０メートルで水を送り出すことができる、請求項１に記載のトイレット。
【請求項８】
前記ダム領域が、前記ボウルの底部から上方に、４インチ（１０．２ｃｍ）から６インチ（１５．２ｃｍ）の間の高さの位置に設けられている、請求項１に記載のトイレット。
【請求項９】
前記トラップ通路が、実質的に水平なバッフルを有しており、前記バッフルは、前記下向き脚部分の下部に隣接した位置で、前記下向き脚部分の後壁から前方に向かって伸びている、請求項１に記載のトイレット。
【請求項１０】
前記バッフルが、前記下向き脚部分の前記後壁から測って０．５インチ（１．３ｃｍ）から２．５インチ（６．４ｃｍ）の間の長さを有する、請求項９に記載のトイレット。
【請求項１１】
前記バッフルが、前記下向き脚部分の底部から測って１インチ（２．５ｃｍ）から３．５インチ（８．９ｃｍ）の間の高さを有する、請求項９に記載のトイレット。
【請求項１２】
前記トラップ通路が、前記上向き脚部分よりも大きな断面積を有する吹き出し領域を有する、請求項１に記載のトイレット。
【請求項１３】
ボウルと、水を圧力下でトラップ通路の中に噴射するためのジェット導管を備えた加圧式タンクとを有し、前記トラップ通路は、ボウル開口部と出口との間に伸び、そして、上向き脚部分を有しており、前記上向き脚部分は、前記ボウル開口部から、前記ボウル開口部よりも上方に位置する湾曲水ダム領域に、上方且つ後方に向かって伸びて、下向き脚部分に接続されており、前記下向き脚部分は、下方且つ前方に傾斜して伸びて、前記出口に連通しているトイレットであって、
前記トラップ通路の前記下向き脚部分において、塊状汚物の濃度が、前記トラップ通路全体ではなく、前記下向き脚部分内のすべての物質の２重量パーセントから５重量パーセントの間の閾値に達した場合に、前記トラップ通路がサイフォン作用をもたらすことを特徴とするトイレット。
【請求項１４】
前記上向き脚部分が、前記出口を含む水平面に対して、３０度から４５度の間にある角度をなして伸びている、請求項１３に記載のトイレット。
【請求項１５】
前記下向き脚部分が、前記出口を含む水平面に対して、４０度から６０度の間にある角度をなして伸びている、請求項１３に記載のトイレット。
【請求項１６】
前記下向き脚部分が、実質的に水平なバッフルを有しており、前記バッフルは、前記下向き脚部分の下部に隣接した位置で、前記下向き脚部分の後壁から前方に向かって伸びている、請求項１３に記載のトイレット。
【請求項１７】
開口部を有するボウルと、
大気圧より高い圧力に加圧された水を供給するためのタンクと、
前記タンクから加圧水を送り出すためのジェット導管と、
前記ボウルの開口部と出口との間に伸びるトラップ通路と
を備えたトイレットであって、
前記トイレットの水洗サイクルが、前記トラップ通路を通して前記ボウルの中に汚物を押し込むように、前記ジェット導管を通じて加圧水流を噴射することを含み、そして、前記トラップ通路において、塊状汚物の濃度が閾値に達した後のみに、前記トラップ通路内においてサイフォン作用をもたらすことを含む
ことを特徴とするトイレット。
【発明の詳細な説明】
【技術分野】
【０００１】
本発明は、トイレットに関し、特にサイフォン作用による補助機能を有する圧力式トイレットに関する。
【背景技術】
【０００２】
ボウルが糞便、トイレットペーパー、及びその他の固形物で満たされたときにトイレットの効果的な水洗を達成することは、特に節水型トイレットでは容易ではない。また、いくつかの節水型トイレットでは特に、トイレットを２回又はそれ以上水洗して、満足するまでボウルを洗浄することはユーザにとってよく行なわれることである。これはユーザにとっては苛立たしく、時間の浪費であるのみならず、多くの地域で水洗１回当り１．６ガロン（６．１リットル）を超えてはならない水の消費を規定する多くの管轄区において行なわれている、環境上の努力及び節水の努力を無にすることになる。
【０００３】
従来のトイレットは、通常は１つ又は２つの主要部材として形成されたボウル及び貯蔵タンクを有している。一般的に「トラップ通路」と呼ばれる蛇行通路が、ボウルの内容物を建物の汚物用配管へ送るための導管としてボウルの背後下方に位置している。トイレットのトラップ通路の精密な構成はさまざまであるが、トラップ通路はすべて一般に上向き脚部分を有しており、この上向き脚部分は通常は水で満たされており、その下流に下水ガスを「トラップして（閉じ込めて）」、これらのガスが建物の中に入ってくることを防止している。ボウルの開口部よりも上方に位置する、トラップ通路の弧状の堰、即ち、ダムによって、ボウル及びトラップ通路の上向き脚部分の中に水が維持される。こうして、トラップ通路は、水洗の前にボウルの中に水を保留する助けともなる。
【０００４】
水洗サイクル中は、ボウル内の水及び汚物は、上向き脚部分を越えて通過し、ダムを越え、下向き脚部分を下方に流れて、出口を通って配管へと流れる。水洗奔流を作り出すためのメカニズムは、圧力式水洗トイレットと重力式水洗トイレットとでは異なる。後者は、下向き脚部分における空気と、上向き脚部分において、ダムを越えるように作用する圧力水頭とを利用して、トラップ通路の中にサイフォンを確立し、このサイフォンが水及び汚物をボウルから引き出してトラップ通路から引き出す。ボウルが空になると、空気がトラップ通路に入り、サイフォンを壊し、タンクからの新しい水がボウルを再び満たす。
【０００５】
加圧式トイレットでは、管路の圧力、タンク内に貯蔵された加圧水、又は水溜めからポンプ輸送された水のうちの１つ又は組合せが使用され、加圧された水流がトラップ通路又はボウルの中に噴射されて、ボウルの内容物をトラップ通路へと吹き飛ばす。従来の重力式トイレットにおいて生成されたタイプのサイフォンは、一般的に加圧式トイレットでは使用されない。しかし、ある種の加圧式トイレット（例えば米国特許第６２１９８５５号）はサイフォンも使用していると記載されている。
【０００６】
従来の圧力式トイレットのトラップ通路において、一貫して維持されたサイフォンを実現することは困難である。その理由は、従来の圧力式トイレットのトラップ通路には、大半の場合、重力式トイレットとは異なる設計がなされているからである。特に、圧力式トイレットにおけるトラップ通路は、通常、上向き脚部分から下流に大きな区域を有している。この拡張区域は、水ジェットによってボウルから急速に排出されてトラップ通路の中に入った液体及び塊状汚物を収容する。これがなければ、水及び汚物は上向き脚部分を通って押し戻されてボウルに戻る虞があり、これが有効な水洗を妨げる虞がある。
【０００７】
従って、残念ながら、上向き脚部分から下流の大きな空間はサイフォンの実現及び持続を困難にする。このための１つの理由は、トラップ通路の吹き出し領域における大きな断面積は、これを満たすためにより多くの液体と汚物を必要とすることである。別の理由は、水洗サイクルを開始する前の下向き脚部分における空気が、水及び汚物を排出することによって占有されていないこの拡張領域の一部を通って、上向き脚部分の中に押し戻される虞があることである。
【発明の開示】
【発明が解決しようとする課題】
【０００８】
従って、加圧式トイレットではサイフォンの使用に関して改良が必要とされる。
【課題を解決するための手段】
【０００９】
本発明は、「必要に応じて」、即ち、トイレットの塊状物の流し込み量が増加している間に、サイフォン作用による補助機能をもたらす圧力式トイレットを提供するものである。液体汚物の正常な水洗中又は少量の塊状物の水洗中は、トラップ通路においてサイフォンは発生せず、ボウル中の水及び軽い汚物は、加圧水ジェットの力の下で適切に排出される。ダムの近く又はそのすぐ下流において余分の容積が備えられて、水ジェットからの吹き出し物を収容する。下向き脚部分において塊状汚物の濃度が閾値に達する場合（例えば、糞便及びトイレットペーパーがトラップ通路の中に存在するとき）にのみ、トラップ通路にサイフォンを生じさせる。下向き脚部分の下部における水平バッフルが、十分な濃度の塊状汚物の蓄積を補助して、トラップ通路中にサイフォンを確立することができる。
【００１０】
ある態様では、本発明は、ボウルと、ボウル開口部と出口開口部との間に伸びるトラップ通路の中に（直接又は先ずボウルを通過してのいずれかによって）加圧水を噴射するための加圧水供給源とを有するトイレットを提供する。トラップ通路は、その中における塊状汚物の閾値濃度レベル未満ではサイフォンが発生しないように、濃度が閾値以上の場合のみサイフォンをもたらす。
【００１１】
トラップ通路は上向き脚部分を有しており、この上向き脚部分は、ボウル開口部から下向き脚部分へのボウル開口部の上の湾曲水ダムへ、上向き及び後向きに伸びており、そして、下向き脚部分は下向き及び前向きに傾斜して出口と連絡している。より大きな断面積の拡張容積吹き出し部分が、トラップ通路において上向き脚部分又はダムのすぐ下流側に設けられ、こうして、上向き脚部分を通じてボウルの中に吹き戻すことなく、圧力ジェットによる汚物の急速な排出「吹き出し」を受け入れる。
【００１２】
塊状汚物の濃度の閾値は、トラップ通路自体ではなく、トラップ通路内部のすべての物質の２〜５重量パーセントであることが好ましい。濃度レベルは、トラップ通路の下向き脚部分の内部で測定されることが好ましい。汚物濃度がこれよりも低い場合は、液体のみの汚物を含む軽量汚物流し込みに対応し、一般に圧力ジェットを補助するためのサイフォンを必要としない。また、汚物濃度がこれと等しいか、又は、これよりも高い場合は、大きな力による流し込みに対応し、その際、サイフォンが十分な水洗の達成のために大きく貢献する。
【００１３】
トラップ通路は、また本質的に水平なバッフルを有していてもよい。この水平バッフルは、下向き脚部分の下部に隣接した位置で、下向き脚部分の後壁から前方に向かって伸びている。このバッフルは、トラップ通路の下向き脚部分の中に塊状汚物を蓄積する作用を有しているので、かなりの量の塊状汚物をトラップ通路に通過させようとするときに、塊状汚物の濃度がその閾値に達し、水洗サイクルにおいて、より早い段階でサイフォンをもたらすことができる。サイフォン及びその早期の開始は、節水型トイレットにおいても汚物を１回の水洗で確実に排出する助けとなる。
【００１４】
好ましい形では、上向き脚部分と下向き脚部分とは、ダムにおける０．５〜１インチ（１．３ｃｍ〜２．５ｃｍ）の半径曲線部分によって分離されている。上向き脚部分は、トイレットの底部又は出口開口部を含む水平面に対して、３０〜４５度の角度で伸びていてもよく、下向き脚部分は、この水平面に対して４０〜６０度の角度で伸びていてもよい。ダムは、ボウル底部の上４〜６インチ（１０．２ｃｍ〜１５．２ｃｍ）の高さの位置にあることが好ましい。水平バッフルは、下向き脚部分の後壁から測って０．５インチ〜２．５インチ（１．３ｃｍ〜６．４ｃｍ）の長さ、及び、下向き脚部分の底部から測って１インチ〜３．５インチ（２．５ｃｍ〜８．９ｃｍ）の高さを有していることが好ましい。
【００１５】
本発明のトイレットは改良された塊状汚物水洗特性を有しており、この特性は、水洗１回当りの少ない水消費量、好ましくは１．４ガロン（５．３リットル）で、また加圧式システムにおいて一般的に用いられているよりも低い水洗速度、好ましくは、毎秒８〜１０メートルで達成可能であり、これによって水洗騒音は低くなる。それでも、約２インチ（５．１ｃｍ）又はそれ以上であることが好ましい適切な最低球体通過寸法は維持される。
【００１６】
本発明の利点は、詳細な説明及び図面から明らである。次に本発明の好ましい一実施形態の説明のみを示す。好ましい実施形態は特許請求の範囲内の唯一の実施形態であることを意図するものではないので、本発明の全範囲を評価するためには、特許請求の範囲を参酌すべきである。
【発明を実施するための最良の形態】
【００１７】
図１は、タンク１２と、ボウル１４と、ジェット導管１６（図２を参照）と、本発明によるトラップ通路１８とを有する圧力式トイレット１０を示す。トラップ通路を除いて、トイレットを、任意の周知の方法で加圧された水流を供給したり、例えば直接水道管圧を使用したり、タンクの中にある容積の加圧水を蓄積したり、又はタンクの水を加圧するためにサンプポンプを準備したりすることにより、図１に示す２ピース型の小容量水洗設計のような、任意の適切な圧力式トイレットにすることができる。
【００１８】
米国特許第５３０５４７５号及び同第５０４６２０１号は、そこでの使用に適した水ジェットを発生させるための機構を有する、圧力式補助トイレットの実施例を開示している。これらの特許における加圧水を発生して送り出すための特徴に関する開示内容は、これを参照することにより、本明細書に完全に述べられているものとして本明細書に組み込まれている。
【００１９】
上記のいずれの場合にも、大気圧より高く加圧された水は、タンク１２からジェット導管１６を通じて移される。一般的に、ジェット導管１６は、トイレットのガラス質の基部の中に形成された通路であり、ジェット導管の出口がトイレットの後部の方に向くようにボウル１４の前部の周りに巻き付いている。ジェット導管１６は、これがボウルの内部の汚物をトラップ通路１８の中に押し込むように水ジェットを向けることを条件に、ボウル水溜め２０の中、トラップ通路１８の中（その上向き脚部分の中）、又はトラップ通路１８とボウル開口部２２との接合箇所において終端していてもよい。図１に示すトイレット１０では、ジェット導管１６はボウル水溜め２０において終端し、水ジェットは開口部２３を通過する。
【００２０】
図１及び図２に示すように、トラップ通路１８はボウル開口部２２から、（図３及び図４に示すように）長円形又はこれに近い断面を有するほぼヘアピン形状を呈する蛇行経路に沿って伸びている。トイレット１０の基部は、出口２４を有しており、この出口は、汚物用配管（図示せず）の開放された端部の上に取り付けられたトラップ通路１８の底部において、本質的に水平面の中に含まれていることが好ましい。こうしてトラップ通路１８は、ボウル１４内の内容物のための経路を形成して、水洗サイクル中に汚物管路に流す。
【００２１】
図２を参照すると、トラップ通路１８の上向き脚部分２６は、ボウル開口部２２から上方及び後方に向かって湾曲部の方へ後向きに伸びている。この湾曲部の内径は、堰即ち水ダム２８を形成し、その後方部分において、水はトラップ通路１８の下流部分を通過することができる。ダム２８において、又はダム２８のすぐ下流側に、拡張された容積を有する「吹き出し」領域３０が設けられている。これは大きな断面積を有し、水ジェットによって上向き脚部分２６を通じて急速に押し込まれた汚物及び水を収容する。その大きなサイズは、汚物がボウルの中へ吹き戻される可能性を減少させる。下向き脚部分３２は、ダム２８から下方及び前方に下降して、トイレット出口２４と整合する開口部３４まで伸びている。ダム２８は、下向き脚部分３２内の流れの方向を、上向き脚部分２６内の流れの方向から約１８０度だけ変えるように、小さな半径を有している。
【００２２】
下向き脚部分３２の下端部における開口部３４に隣接して、トラップ通路１８は、下向き脚部分３２の後壁の間に伸びる短い平坦な水平バッフル３６を有している。バッフル３６は、下向き脚部分３２を通る流れを乱す作用を有している。液体及び非常に少ない塊状汚物については、バッフル３６は、下向き脚部分３２において乱流の発生を少なくすることによって流れを改善する。より多い塊状汚物については、バッフル３６は、下向き脚部分３２において塊状汚物を蓄積し、サイフォン開始のために必要な塊状汚物の必要濃度を実現し、こうして水洗サイクルにおいてより早期にサイフォン作用をもたらす働きをする。
【００２３】
トラップ通路１８は具体的には、トラップ通路１８の内部でサイフォン吸引を堅実に達成して、水洗サイクル中にボウル１４から多量の塊状汚物を排出するときに水ジェットを補助するように構成されていると共に、寸法決定されている。トラップ通路１８はさらに、塊状物質の閾値濃度がトラップ通路の内部に存在するときにのみ、即ち十分な固体汚物がトラップ通路１８の中に存在するときにのみ、サイフォンを達成するように設計されている。液体のみ又は不十分な塊状汚物（濃度の閾値より低い）がトラップ通路の中に存在するときには、サイフォンは確立されない。下向き脚部分３２内の塊状汚物濃度は特定の重要性を有すると考えられ、この領域において、塊状汚物の濃度の閾値が考慮されている。
【００２４】
図５を参照して、トラップ通路のさまざまな設計パラメータに関して採用可能であり、好ましいと決定された値を下記表１に簡単に記す。
【００２５】
【表１】
2008533332.tif 000003
【００２６】
上記パラメータに関して与えられた値は、ボウル内の水の容積、並びに、水洗サイクル中にジェット導管を通じて噴射される水の容量及び流量に依存する。これらの値を下記表２に記す。
【００２７】
【表２】
2008533332.tif 000004
【００２８】
本発明者等は、ダム２８の半径（ｒ）と、水平パラメータからの上向き脚部分２６の角度（θＵ）とは、塊状汚物とサイフォン達成能力とに関して最も敏感であることを、実験に基づいて決定した。下向き脚部分３２の角度（θＤ）は、中位の効果を有し、バッフル３４の位置（ＬＢ）及び外形（ｈＢ）も同じである。本発明者等はまた、このような構成を有するトラップ通路は、下向き脚部分３２内の塊状汚物濃度が（液体質量を含めて）２重量％〜５重量％であり、塊状汚物の濃度の好ましい閾値が２．５重量％であるときに、サイフォンを発生させることができることも決定した。
【００２９】
上向き脚部分２６と下向き脚部分３２との間のダム半径（ｒ）を、０．５〜１．０インチ（１．３〜２．５ｃｍ）として設計することが好ましい。上向き脚部分２６は、水平から３０〜４５度の角度θＵでボウル開口部２２から上方及び後方に向かって伸びるように設計されている。さらに、下向き脚部分３２は、水平から４０〜６０度の角度をなすことが好ましい。本発明者等は、上述のパラメータのためには、０．８インチ（２ｃｍ）のダム半径（ｒ）、３２．５度の上向き脚部分角度（θＵ）、及び５０度の下向き脚部分角度（θＤ）が最も好ましいことを実験に基づいて決定した。これらの値はまた、塊状汚物を水ダム２８の内部湾曲部を越えて、これから離れて下向き脚部分３２の中へ運ぶ流れ曲線の発生を助けるために選択される。
【００３０】
バッフル３４は、１〜３．５インチ（２．５〜８．９ｃｍ）の高さ（ｈＢ）で、０．５〜２．５インチ（１．３〜６．４ｃｍ）の長さ（ＬＢ）に伸びることが好ましい。上述の他のパラメータの好ましい値に対応するこれらのパラメータの好ましい値は、それぞれ１．１インチ（２．８ｃｍ）及び１．２インチ（３．０ｃｍ）である。これらの値は、通路を過度に閉じることなく、下向き脚部分３２の中に塊状汚物を蓄積するように、下向き脚部分３２を通る流れを十分に妨げる。バッフル棚の高さ及び長さは、下向き脚部分の半径に比例して増減変化する。
【００３１】
実験によって、本発明のトラップ通路を備えたトイレットは、他の類似の従来の圧力式トイレットと比較して、塊状汚物全体に亘って改良された性能を有することが立証された。塊状汚物を除去するためのこの改良された能力によって、トイレットは、従来のトイレットにおける水洗１回当り１．６ガロン（６．１リットル）と比較して、水洗１回当り１．４ガロン（５．３リットル）という非常に小さい水洗容積で、また好ましくは毎秒８〜１０メートル（さらに好ましくは８．５ｍ／秒）という低いジェット速度で動作することができる。こうして、改良されたトイレットはより少ない水を消費し、より静かに動作し、従来の圧力式トイレットよりも優れた塊状汚物処理を行う。
【００３２】
本発明のトイレットとトラップ通路とによる改良された塊状汚物処理を立証するために実施された実験研究は、トイレットの水洗性能を試験するために産業分野における１人又は複数の関係者によって通常実施されるパルプパッド、パルプボール、及びペースト試験を含んでいる。本発明のトイレットでは、従来の圧力式トイレットと比較して、単一水洗でボウルから排出可能な（例えば、複数部分の多層トイレットペーパーで作られた）パルプパッドの数において、少なくとも１５％、ある場合には３３％の改善が認められた。紙球ローディング（トイレットペーパーをもみつぶして球体にしたもの）の試験では、本発明のトイレットは、第１水洗において５０個の紙球の約９０％を、及び６０個の紙球の５０％を排出することができ、残りを第２水洗で除去し、トラップ通路の詰りは全くなかったことが示された。このような結果が従来の圧力式トイレットにおいて再現されたことは認められていない。単層トイレットペーパーによる５０個の１．５〜２インチ（３．８〜５．１ｃｍ）紙球は、ほぼ４％の塊状汚物濃度を示すことに留意すべきである。
【００３３】
上述したものは、本発明の好ましい一実施形態であることを理解すべきである。しかし、この好ましい実施形態に対する多くの変更及び変形は当業者にとって明らかであり、これらは本発明の精神及び範囲内に含まれる。従って、本発明を上に説明した実施形態に限定すべきではない。本発明の技術的範囲を正確に確認するために、特許請求の範囲を参照すべきである。
【産業上の利用可能性】
【００３４】
本発明は、改良されたトラップ通路設計によって、十分な塊状汚物がトラップ通路の内部に存在するときに、トラップ通路内にサイフォン吸引を確立することによって、トイレットが塊状汚物をより効果的に水洗することを可能にする、圧力式トイレットを提供するものである。
【図面の簡単な説明】
【００３５】
【図１】トラップ通路が適用されるトイレットを想像線で示した、本発明によるトイレットのトラップ通路の側面図である。
【図２】図１のトイレットの後方部分の、前方から後方に延びる中心線に沿った部分縦断面図である。
【図３】図２の３−３線に沿った部分断面図である。
【図４】図２の４−４線に沿った部分断面図である。
【図５】トラップ通路を概略的に示す図である。
【図１】
2008533332.tif 000005
【図２】
2008533332.tif 000006
【図３】
2008533332.tif 000007
【図４】
2008533332.tif 000008
【図５】
2008533332.tif 000009
【国際調査報告】
2008533332.tif 000010
2008533332.tif 000011